(57)【要約】【課題】デジタル一眼レフカメラにおいて、より容易かつ確実にプレビューの確認を行なえるようにする。【解決手段】プレビュースイッチＳＷＰの操作に連動して、ミラー１００を光路から退避させ、露光機構１０６、絞り機構１０７、ＡＦモジュール１０８、ＡＦモータ１１３等を駆動して、撮影レンズ１１Ｌを通した被写体像を撮影用ＣＣＤ１１８で撮像する。撮影された画像データを揮発性メモリである画像ＲＡＭ１２１に一時的に保持するとともに、画像表示素子（ＬＣＤ）１２２にプレビュー画像として表示する。【選択図】図１
2007201671.tif 000002
【特許請求の範囲】
【請求項１】
プレビュー機能を備えたデジタル一眼レフカメラであって、撮像素子により撮影レンズを通したプレビュー画像を撮像し、前記プレビュー画像をモニタに表示するプレビュー画像表示手段を備えることを特徴とするデジタル一眼レフカメラ。
【請求項２】
撮影レンズを通した被写体像を撮像するための撮像素子と、
前記撮像素子により撮影された画像を表示するモニタと、
前記撮像レンズを通したプレビュー画像を前記撮像素子で撮像し揮発性メモリに一時的に保持するプレビュー画像保持手段と、
前記プレビュー画像を前記モニタに表示するプレビュー画像表示手段と
を備えることを特徴とするデジタル一眼レフカメラ。
【請求項３】
前記モニタへの前記プレビュー画像の表示において、前記プレビュー画像の部分拡大表示を行なう拡大表示手段を備えることを特徴とする請求項１、２の何れか一項に記載のデジタル一眼レフカメラ。
【請求項４】
前記デジタル一眼レフカメラがオートフォーカス機能を備え、前記部分拡大表示が、オートフォーカスにおける合焦位置を中心として行われることを特徴とする請求項３に記載のデジタル一眼レフカメラ。
【請求項５】
前記モニタへの前記プレビュー画像の表示において、前記プレビュー画像に関わる情報を表示する情報表示手段を備えることを特徴とする請求項１、２の何れか一項に記載のデジタル一眼レフカメラ。
【請求項６】
前記情報に、前記プレビュー画像のヒストグラムおよび白とび位置の少なくとも１つが含まれることを特徴とする請求項５に記載のデジタル一眼レフカメラ。
【請求項７】
前記情報表示手段が、前記プレビュー画像上に前記ヒストグラムを重畳して表示可能であるとともに前記プレビュー画像において前記白とび位置を示す表示が可能であり、前記プレビュー画像の画面、前記ヒストグラムが重畳された画面、前記白とび位置が示された画面が順次切替表示されることを特徴とする請求項６に記載のデジタル一眼レフカメラ。
【請求項８】
複数のプレビュー画像を保持可能であり、前記複数のプレビュー画像の中から前記モニタに表示するプレビュー画像を選択するプレビュー画像選択手段を備えることを特徴とする請求項１、２の何れか一項に記載のデジタル一眼レフカメラ。
【請求項９】
保持された前記プレビュー画像を不揮発性メモリに記録する画像記録手段を備えることを特徴とする請求項１、２の何れか一項に記載のデジタル一眼レフカメラ。
【請求項１０】
撮像された前記プレビュー画像を観察してプレビューを行なうデジタルプレビューモードと、前記撮影レンズを通した光学像を観察してプレビューを行なう光学プレビューモードとの間の切り替えを行なう手段を備えることを特徴とする請求項１に記載のデジタル一眼レフカメラ。
【発明の詳細な説明】
【技術分野】
【０００１】
本発明は、撮像素子を用いて被写体像を電子データとして記録するデジタル一眼レフカメラに関し、特にプレビュー機能を備えたデジタル一眼レフカメラに関する。
【背景技術】
【０００２】
一眼レフカメラは、通常撮影前に絞りを設定絞り値にして露出や被写界深度を確認するためのプレビュー機能を備える。従来プレビュー機能は、絞りを設定値に設定したときに撮影レンズから入射する光をミラーで反射して焦点板に導き、ファインダを通して焦点板に投影された画像を観察することにより達成される（特許文献１参照）。
【特許文献１】特開２０００−３０５１２７号公報
【発明の開示】
【発明が解決しようとする課題】
【０００３】
しかし、ファインダを通した画像は小さい上、絞り値が大きいときには投影画像が暗いので被写界深度の確認が難しい。
【０００４】
本発明は、デジタル一眼レフカメラにおいて、より容易、確実にプレビューの確認をできるようにすることを目的としている。
【課題を解決するための手段】
【０００５】
本願発明のデジタル一眼レフカメラは、プレビュー機能を備えたデジタル一眼レフカメラであって、撮像素子により撮影レンズを通したプレビュー画像を撮像し、プレビュー画像をモニタに表示するプレビュー画像表示手段を備えたことを特徴としている。
【０００６】
また、本願発明のデジタル一眼レフカメラは、撮影レンズを通した被写体像を撮像するための撮像素子と、撮像素子により撮影された画像を表示するモニタと、撮像レンズを通したプレビュー画像を撮像素子で撮像し揮発性メモリに一時的に保持するプレビュー画像保持手段と、プレビュー画像をモニタに表示するプレビュー画像表示手段とを備えたことを特徴としている。
【０００７】
デジタル一眼レフカメラは、モニタへのプレビュー画像の表示において、プレビュー画像の部分拡大表示を行なう拡大表示手段を備えることが好ましい。またデジタル一眼レフカメラはオートフォーカス機能を備え、部分拡大表示がオートフォーカスにおける合焦位置を中心として行われることが好ましい。
【０００８】
デジタル一眼レフカメラは、モニタへのプレビュー画像の表示において、プレビュー画像に関わる情報を表示する情報表示手段を備え、この情報には、例えばプレビュー画像のヒストグラムおよび白とび位置の少なくとも１つが含まれる。このとき情報表示手段は、プレビュー画像上にヒストグラムを重畳して表示可能であるとともにプレビュー画像において白とび位置を示す表示が可能であり、プレビュー画像の画面、ヒストグラムが重畳された画面、白とび位置が示された画面を順次切替表示することが可能である。
【０００９】
また、デジタル一眼レフカメラは、複数のプレビュー画像を保持可能であり、複数のプレビュー画像の中からモニタに表示するプレビュー画像を選択するプレビュー画像選択手段を備える。また、保持されたプレビュー画像を不揮発性メモリに記録する画像記録手段を備えることが好ましい。
【００１０】
更に、デジタル一眼レフカメラは、撮像されたプレビュー画像を観察してプレビューを行なうデジタルプレビューモードと、撮影レンズを通した光学像を観察してプレビューを行なう光学プレビューモードとの間の切り替えを行なう手段を備えることが好ましい。
【発明の効果】
【００１１】
以上のように、本発明によれば、デジタル一眼レフカメラにおいて、より容易、確実にプレビューの確認を行なうことができる。
【発明を実施するための最良の形態】
【００１２】
以下、本発明の実施の形態を、図面を参照して説明する。
図１は、本発明の一実施形態であるレンズ交換式デジタル一眼レフカメラの構成を示すブロック図である。
【００１３】
レンズ交換式デジタル一眼レフカメラは、カメラ本体１０とレンズマウントに装着されるレンズ鏡筒１１とから構成される。レンズ鏡筒１１内には、撮影レンズ（レンズ群）１１Ｌ、撮影レンズ１１Ｌの駆動を行なうギヤブロック１１Ｇ、カメラ本体１０との間でレンズ情報等の送受信を行なうレンズＣＰＵ１１Ｃが設けられる。
【００１４】
撮影レンズ１１Ｌから入射した光は、カメラ本体１０内のミラー１００で反射されて焦点板（図示せず）に導かれ、被写体像として結像される。焦点板に投影された画像は、ペンタプリズム１０１を介して、ファインダ（図示せず）越しに覗くことができる。また、ミラー１００で反射された光の一部は、測光センサ１０２へと導かれる。測光センサ１０２は、周辺制御回路１０３に接続され、測光センサ１０２により得られた測光値は、選択された撮影モードに応じて露出制御等に用いられる。
【００１５】
また周辺制御回路１０３には、ミラー１００を光路上から退避させるためのモータドライバ１０４、シャッタ（図示せず）を駆動するための露光機構１０６、絞り（図示せず）を設定絞り値まで駆動する絞り機構１０７に接続されており、それぞれの駆動は周辺制御回路１０３により制御される。更に、周辺制御回路１０３は、装着されたレンズ鏡筒１１内のレンズＣＰＵ１１Ｃと接続され、レンズＣＰＵ１１Ｃとの間で情報の送受信を行なう。なお、周辺制御回路１０３の駆動は、ＣＰＵ１１０によって制御される。
【００１６】
ミラー１００には、サブミラー１００Ｓが設けられ、ミラー１００を透過した一部の光は、サブミラー１００Ｓに反射されＡＦモジュール１０８のＣＣＤ１０９で受光検知される。ＡＦモジュール１０８は、オートフォーカスを行なうためのモジュールであり、ＣＣＤ１０９で撮像された画像情報はＣＰＵ１１０に送られ、デフォーカス量が計算されて撮影レンズ１１Ｌの合焦処理動作が実行される。すなわち、ＣＰＵ１１０によりモータドライバ１１４が制御され、ギヤブロック１１２に接続されたＡＦモータ１１３が駆動される。ギヤブロック１１２は、ＡＦカプラ（図示しせず）を介して、レンズ鏡筒１１内のギヤブロック１１Ｇに連結され、撮影レンズ１１Ｌを駆動する。また、ＡＦモータ１１３の駆動量は、エンコーダ１１５により検知され、その信号はＣＰＵ１１０に送られる。
【００１７】
ＣＰＵ１１０には例えばＬＣＤなどからなる表示素子１１１も設けられており、撮影モード、撮影可能枚数、バッテリー状態などの各種情報が、文字あるいは記号などにより表示される。また、ＣＰＵ１１０には、オートフォーカススイッチＳＷＦ、レリーズスイッチＳＷＲ、測光スイッチＳＷＳ、メインスイッチＳＷＭ、プレビュースイッチＳＷＰ、およびその他のスイッチ（ＩＮＦＯスイッチ、画像選択スイッチ（十字キー）、決定スイッチ（ＯＫボタン）、電子ダイヤルスイッチ等）１１６が接続されており、ユーザはこれらのスイッチ操作に連動して、測光、撮影、モード切替、画像の選択など様々な処理を実行することができる。
【００１８】
ＣＰＵ１１０は、バッテリー（図示せず）が装填されるとスリープ状態で駆動されており、メインスイッチＳＷＭがオンされると、その他の回路への電源供給が開始される。メインスイッチＳＷＭがオンされた後、例えばシャッタボタン（図示せず）が半押しされると、測光スイッチＳＷＳがオンされ、測光センサ１０２による測光処理が実行されるとともに、オートフォーカススイッチＳＷＦがオンされ、ＡＦモジュール１０８、ＡＦモータドライバ１１４、ＡＦモータ１１３、エンコーダ１１５が駆動されオートフォーカス処理が実行される。
【００１９】
また、シャッタボタンが全押しされると、レリーズスイッチＳＷＲがオンされ、ミラー１００が光路上から退避されるとともに、露光機構１０６および絞り機構１０７が駆動され、設定された絞り値、シャッタ速度で撮影レンズ１１Ｌを介した光が撮影用の撮像素子であるＣＣＤ（Ｉ−ＣＣＤ）１１８に受光さる。撮影用ＣＣＤ１１８で得られた画像信号は、前段信号回路（ＡＦＥ）１１９により所定の信号処理を施されデジタル信号に変換された後、デジタル信号処理回路（ＤＳＰ）１２０へと送られ、画像ＲＡＭ（揮発性メモリ）１２１に画像データとして保持される。画像データは、所定のデジタル画像処理を施された後、メモリカードなどの不揮発性記録媒体（不揮発性メモリ）１２３に記録される。
【００２０】
また、撮影された画像は、デジタル信号処理回路１２０を介して、ＬＣＤ等からなる画像表示素子（Ｉ−ＬＣＤ）１２２に表示可能である。
【００２１】
次に、図１および図２のメイン処理のフローチャートを参照して、本実施形態のデジタル一眼レフカメラにおけるメイン処理について説明する。
【００２２】
カメラ本体１０にバッテリーが装填されると、ＣＰＵ１１０に電源が供給され、メイン処理の実行が開始され、ステップＳ１００において、内部レジスタ、入出力ポート、内蔵ＲＡＭなどの初期化が実行される。ステップＳ１０２では、メインスイッチＳＷＭがオフ状態であるか否が判定される。メインスイッチＳＷＭがオンされていないと判定されたときには、ステップＳ１０４において、その他の回路（例えば周辺制御回路１０３やＤＳＰ１２０など）の電源がオフ状態に維持、またはオン状態からオフ状態と変更され、処理はステップＳ１０２に戻る。すなわち、メインスイッチＳＷＭがオンされていないときには、カメラはスリープ状態に維持される。
【００２３】
ステップＳ１０２において、メインスイッチＳＷＭがオン状態であると判定されると、ステップＳ１０６において、周辺制御回路１０３やＤＳＰ１２０などを含む全ての回路に電源が供給され、撮影可能な状態とされる（スリープ状態解除）。ステップＳ１０８では、各スイッチの状態をチェックするスイッチ操作処理が実行され、ステップＳ１１０では、表示素子１１１に例えば撮影モード、撮影可能枚数、バッテリー状態などの情報が表示される。
【００２４】
ステップＳ１１２では、図６を参照して後述されるプレビュー選択処理が実行される。ステップＳ１１４では、測光スイッチＳＷＳあるいはプレビュースイッチＳＷＰがオンされ、測光を行なう必要があるか否か（測光ＯＮ条件）が判定される。測光ＯＮ条件が満たされていない場合には、処理はステップＳ１０２に戻り、上述した処理が繰り返される。
【００２５】
一方、ステップＳ１１４において測光ＯＮ条件が満たされたと判定されると（測光スイッチＳＷＳあるいはプレビュースイッチＳＷＰがオン）、ステップＳ１１６においてバッテリーチェック処理が実行され、ステップＳ１１８において、バッテリーの残量が撮影に不十分であるか否かが判定される。バッテリー残量が不十分であると判定された場合には、処理はステップＳ１０２に戻り、上述した処理が繰り返される。
【００２６】
一方、ステップＳ１１８において、バッテリー残量が十分であると判定されると、ステップＳ１２０において、後述するパワーホールドオンループ（ｐｈ＿ｏｎ＿ｌｏｏｐ）処理が実行され、この処理が終了するとステップＳ１０２に戻り以下上述した処理が繰り返される。以上が本実施形態におけるメイン処理であり、この処理はカメラ本体にバッテリーが装填されている間常時実行される。
【００２７】
次に図３のパワーホールドオンループ（ｐｈ＿ｏｎ＿ｌｏｏｐ）処理（図２、ステップＳ１２０）のフローチャートを参照して本実施形態におけるパワーホールドオンループ処理について説明する。パワーホールドオンループ処理は、図２のフローからも明らかなように、測光ＯＮ条件が満たされ、バッテリー残量が撮影に十分であるときに実行される処理である。
【００２８】
パワーホールドオンループ処理が開始されると、ステップＳ２００において、ＰＨｏｎループ変数が初期化される。ＰＨｏｎループ変数は、パワーホールドオンループ処理のループ処理を維持する時間を設定するためのカウンタ変数であり、ＰＨｏｎループ変数により設定された時間が経過すると、このパワーホールドオンループ処理は終了する。
【００２９】
ステップＳ２０２、Ｓ２０４では、ＣＰＵ１１０が、各スイッチの状態を検出し、オン状態とされたスイッチに対応した処理を実行する。ステップＳ２０６では、レンズ鏡筒１１との間の通信が開始され、レンズの種別、開放絞り値、最大絞り値、焦点距離などのレンズ情報がＣＰＵ１１０に入力される。ステップＳ２０８では、測光センサ１０２により被写体輝度Ｂｖ情報を得るための開放測光が実行され、ステップＳ２１０においてこの被写体輝度Ｂｖ情報とＩＳＯ感度Ｓｖ等に基づいて露出演算（ＡＥ演算）が実行されてシャッタ速度および絞り値が算出される。算出されたシャッタ速度および絞り値は、ステップＳ２１２において液晶表示素子１１１に表示され、ステップＳ２１４では、液晶表示素子の照明が点灯される。
【００３０】
ステップＳ２１６では、ＡＦモジュール１０８、ＡＦモータ１１３、モータドライバ１１４、エンコーダ１１５を用いたオートフォーカス処理が実行され、画角内の所定の複数位置を対象候補として合焦処理が実行される（例えば候補の中で一番近い被写体に対して実際の合焦が行われる）。ステップＳ２１８では、図４、５を参照して後述されるプレビュー処理が実行され、ステップＳ２２０ではステップＳ２１８のプレビュー処理により得られたプレビュー画像に対して図６を参照して後述されるプレビュー選択処理が実行される。
【００３１】
ステップＳ２２２においては、レリーズスイッチＳＷＲがオンされたか否かが判定される。レリーズスイッチＳＷＲがオンされた場合には、ステップＳ２２４において、従来周知のレリーズ処理が実行され、被写体の画像が撮影用ＣＣＤ１１８により撮像され、不揮発性の記録媒体１２３に記録された後ステップＳ２２６が実行される。一方、ステップＳ２２２においてレリーズスイッチＳＷＲがオンされていないと判定されると、ステップＳ２２６が直ちに実行される。
【００３２】
ステップＳ２２６では、ＰＨタイマカウントダウン処理が実行される。すなわち、ＰＨｏｎループ変数が１または所定量デクリメントされる。ステップＳ２２８では、ＰＨｏｎループ変数が所定値に達したか否かが判定され、このパワーホールドオンループ（ｐｈ＿ｏｎ＿ｌｏｏｐ）処理を終了するか否かが判定される。ＰＨｏｎループ変数が所定値に達しておらず、パワーホールドオンループ（ｐｈ＿ｏｎ＿ｌｏｏｐ）処理を終了しないと判定された場合には、ステップＳ２０２に戻り上述の各処理が繰り返される。一方、ＰＨｏｎループ変数が所定値に達しており、パワーホールドオンループ（ｐｈ＿ｏｎ＿ｌｏｏｐ）処理を終了すると判定された場合には、このパワーホールドオンループ（ｐｈ＿ｏｎ＿ｌｏｏｐ）処理は終了し、メイン処理（図２）のステップＳ１０２以下の処理が繰り返される。
【００３３】
次に、図４、５のフローチャートを参照して、本実施形態のプレビュー処理（図３、ステップＳ２１８）について説明する。なお、図４は、プレビュー処理の前半部、図５はプレビュー処理の後半部のフローチャートである。
【００３４】
プレビュー処理が開始されると、ステップＳ３００において、プレビュースイッチＳＷＰがオフ状態からオン状態に切り替えられたか否かが判定される。オフ状態からオン状態に切り替えられたと判定された場合には、ステップＳ３０２においてプレビューフラグが１に設定され、ステップＳ３０２〜ステップＳ３１８において、プレビュー画像の取り込みが行われる。
【００３５】
すなわち、ステップＳ３０４において絞りの絞り込みが行なわれた後、ステップＳ３０６で、ミラー１００が光路上から退避され、ステップＳ３０８でメカニカルシャッタが開かれる。その後、ステップＳ３１０で撮影用ＣＣＤ１１８における露光処理（撮像処理）が行われる。ステップＳ３１２ではシャッタが閉められ、ステップＳ３１４において撮影用ＣＣＤ１１８で撮像されたプレビュー画像の画像データの画像ＲＡＭ１２１への取り込みが開始される。ステップＳ３１６では絞りが開放され、ステップＳ３１８ではミラー１００が光路上に戻される。
【００３６】
その後、ステップＳ３２０において、撮像されたプレビュー画像に対してホワイトバランス処理、補間処理等が施され、ステップＳ３２２で画像表示素子１２２にプレビュー画像が表示されるとともに、ステップＳ３２４においてプレビュー画像を表示する時間を制御する表示タイマが始動される。
【００３７】
ステップＳ３２６では、オートフォーカススイッチＳＷＦがオンされたか否かが判定され、オートフォーカススイッチＳＷＦがオンされた場合には、ステップＳ３２８において、オートフォーカス処理（図３、Ｓ２１６）で実際に合焦が行なわれた位置を中心としてプレビュー画像の拡大表示が行われ、ステップＳ３３０へと進む。すなわち、プレビュー画像が画像表示素子１２２に表示された状態で、オートフォーカス用の操作部が操作されると合焦位置を中心にプレビュー画像が拡大表示される。一方、ステップＳ３２６においてオートフォーカススイッチＳＷＦがオンされていないと判定されると、処理は直ちにステップＳ３３０へと進む。
【００３８】
ステップＳ３３０では、ＩＮＦＯスイッチ（図示せず）がオンされたか否かが判定される。ＩＮＦＯスイッチがオンされたと判定されるとステップＳ３３２においてプレビュー画像の画像情報が画像表示素子１２２に表示された後、ステップＳ３３４に進む。ＩＮＦＯスイッチは、通常はカメラのモード設定情報等を画像表示素子１２２に表示させるための操作ボタンであるが、プレビュー画像の表示を行なっているときに、ＩＮＦＯスイッチが操作されると、表示されているプレビュー画像のヒストグラムや白とび位置などの画像情報が表示される。なお、白とび位置は、画素値が飽和した画素に対応し、例えば対応する画素を反転表示、点滅表示あるいはその領域を線で囲むなどすることによりその位置が示される。一方、ステップＳ３３０において、ＩＮＦＯスイッチがオンされていないと判定されると、処理は直ちにステップＳ３３４へと進む。
【００３９】
ステップＳ３３４では、ステップＳ３２４において、始動された表示タイマが終了値に達したか否かが判定される。終了値に達していない場合は、ステップＳ３３６において測光スイッチＳＷＳあるいはレリーズスイッチＳＷＲがオンされたか否かが判定され、何れのスイッチもオンされていない場合、このプレビュー処理は終了する。
【００４０】
一方、ステップＳ３３４において表示タイマが終了値に達したと判定、あるいはステップＳ３３６において測光スイッチＳＷＳあるいはレリーズスイッチＳＷＲの何れかがオンされたと判定された場合には、ステップＳ３３８において画像表示素子１２２の照明が消灯されるとともに、ステップＳ３４０においてプレビューフラグが０に設定され、このプレビュー処理は終了する。
【００４１】
なお、ステップＳ３００においてプレビュースイッチＳＷＰがオフ状態からオン状態に切り替えられていないと判定された場合には、ステップＳ３４２においてプレビューフラグ＝１であるか否かが判定される。すなわち、プレビュー画像を表示している状態であるか否かが判定される。
【００４２】
ステップＳ３４２において、プレビューフラグ＝１であると判定されると、処理はステップＳ３２６に進み、以下上述したステップＳ３２６〜Ｓ３４０までの処理が実行される。一方、ステップＳ３４２において、プレビューフラグ＝１でないと判定されると、このプレビュー処理は直ちに終了する。
【００４３】
なお、プレビュースイッチＳＷＰは、例えばレリーズボタンとは別途独立した操作部として設けられ、上記プレビュー処理においてプレビュースイッチＳＷＰがオフ状態からオン状態に切り替えられたと判定される度に、プレビュー画像が画像ＲＡＭ１２１に記憶される。すなわち、画像ＲＡＭ１２１には、メモリの記憶容量内で複数のプレビュー画像を保持可能である。
【００４４】
次に図６のプレビュー選択処理のフローチャートを参照して、本実施形態におけるプレビュー選択処理（図２のＳ１１２、図３のＳ２２０）について説明する。
【００４５】
プレビュー選択処理が開始されると、まずステップＳ４００において、プレビューフラグ＝１であるか否かが判定される。プレビューフラグ＝１でない場合、すなわち、プレビュー画像が表示されていない場合には、このプレビュー選択処理は直ちに終了する。
【００４６】
ステップＳ４００においてプレビューフラグ＝１であると判定された場合には、ステップＳ４０２において、例えば電子ダイヤルスイッチ（図示せず）が左回りに回転されたか否かが判定され、左回りに回転されたと判定された場合には、更にステップＳ４０４において現在画像表示素子１２２に表示されているプレビュー画像が１倍表示されているか否かが判定される。プレビュー画像が１倍で表示されていない（拡大表示されている）と判定された場合には、ステップＳ４０６においてプレビュー画像が順次縮小表示された後、ステップＳ４１２へと処理は進む。
【００４７】
一方ステップＳ４０４において、プレビュー画像が１倍表示されていると判定された場合には、ステップＳ４０８において、プレビュースイッチＳＷＰの操作により取り込まれ、画像ＲＡＭに蓄積された複数のプレビュー画像がマルチ表示され、ステップＳ４１０において、画像選択スイッチ（十字キー）の操作によるプレビュー画像の選択処理がマルチ表示された複数のプレビュー画像の間において行われる。画像選択スイッチによるプレビュー画像の選択処理が終了すると処理はステップＳ４１２へと進む。
【００４８】
一方、ステップＳ４０２において、電子ダイヤルスイッチが左回りに回転されていないと判定された場合は、直ちにステップＳ４１２へと処理は進み、電子ダイヤルスイッチが右回りに回転されたか否かが判定される。電子ダイヤルスイッチが右回りに回転されたと判定された場合には、ステップＳ４１４において、表示されているプレビュー画像が順次拡大表示され、ステップＳ４１６において、決定スイッチ（ＯＫボタン）がオンされたか否かが判定される。なお、ステップＳ４１２において、電子ダイヤルスイッチが右回りに回転されていないと判定されると、直ちにステップＳ４１６において決定スイッチ（ＯＫボタン）がオンされたか否かの判定が行われる。
【００４９】
ステップＳ４１６において、決定スイッチ（ＯＫボタン）がオンされたと判定された場合には、現在表示（現在選択）されているプレビュー画像が、メモリカード等の不揮発性記録媒体１２３に記録され、このプレビュー選択処理は終了する。一方、ステップＳ４１６において、決定スイッチ（ＯＫボタン）がオンされていないと判定されると、プレビュー画像をメモリカード等の不揮発性記録媒体１２３に記録することなく、このプレビュー選択処理が終了する。
【００５０】
以上のように、本実施形態によれば、従来ファインダを通して観察されたプレビュー画像をモニタ上で確認できるため、ユーザはより容易にプレビューを行なうことができる。また、画面上でプレビュー画像を観察できるため、より正確に露出を確認することができ、プレビュー画像を拡大表示できるため、より正確に被写界深度の確認を行なうことができる。
【００５１】
またプレビュー画像の画像情報を表示できるため、プレビュー画像の観察のみではなく、ヒストグラムや白とび位置の情報からも露出の適否を判断することができる。更に、本実施形態では複数のプレビュー画像を蓄積することができるので、複数の撮影条件における画像の比較を予め行なうことができ、より簡便に適切な撮影条件を選択することが可能となる。
【００５２】
また更に、本実施形態では、プレビュー画像を不揮発性記録媒体に書き込むことができるので、プレビュー画像として取得した画像が、記録画像として十分なものである場合に、改めて撮影を行なう必要がない。
【００５３】
なお、図２のプレビュー選択処理（ステップＳ１１２）を有効にするためには、図４、５に示されたプレビュー処理における表示タイマの設定を、図３に示されたパワーホールドオンループ（Ｐｈ＿ｏｎ＿ｌｏｏｐ）処理のタイマ（ＰＨｏｎループ変数によるタイマ）の設定よりも長くする必要がある。
【００５４】
また、プレビュー画像の画像情報表示において、ＩＮＦＯスイッチの操作するごとに、例えばプレビュー画像のみ、ヒストグラムを重畳したプレビュー画像、白とび位置を示したプレビュー画像と循環的に切り替え可能としてもよいし、メニュー画面（図示しない）でヒストグラムや白飛び表示を選択できるようにしてもよい。
【００５５】
なお、本実施形態のデジタル一眼レフカメラは、上述したように撮像素子により撮像されたプレビュー画像を表示してプレビューを行なうデジタルプレビューモードと、撮影レンズを通した光学像を従来のようにファインダを通してプレビューを行なう光学プレビューモードが設けられていてもよく、各モードは例えばメニュー選択画面を操作することにより選択される。すなわち、デジタルプレビューモードが選択されている場合、上述のようにプレビュー処理およびプレビュー選択処理が実行され、プレビュースイッチが操作されるとプレビュー画像が取得される。一方、光学プレビューモードが選択されている場合には、プレビュースイッチが操作されると、従来周知のように絞りが設定値まで絞られ、ユーザはファインダを通して焦点板に結像された投影像を観察してプレビューを行なう。
【図面の簡単な説明】
【００５６】
【図１】本発明が適用された一実施形態であるデジタル一眼レフカメラの構成を示すブロック図である。
【図２】本実施形態のデジタル一眼レフカメラにおけるメイン処理のフローチャートである。
【図３】本実施形態におけるパワーホールドオンループ処理のフローチャートである。
【図４】本実施形態におけるプレビュー処理のフローチャートの前半部である。
【図５】本実施形態におけるプレビュー処理のフローチャートの後半部である。
【図６】本実施形態におけるプレビュー選択処理のフローチャートである。
【符号の説明】
【００５７】
１１８  撮影用ＣＣＤ
１２１  揮発性メモリ
１２２  画像表示素子
１２３  不揮発性記録媒体
ＳＷＲ  レリーズスイッチ
ＳＷＳ  測光スイッチ
ＳＷＭ  メインスイッチ
ＳＷＰ  プレビュースイッチ
【図１】
2007201671.tif 000003
【図２】
2007201671.tif 000004
【図３】
2007201671.tif 000005
【図４】
2007201671.tif 000006
【図５】
2007201671.tif 000007
【図６】
2007201671.tif 000008